(57)【要約】【課題】便蓋を閉じた状態で可動部の隙間が露出せず、かつ表示部が視認できるトイレ装置を提供する。【解決手段】便座１および本体３を覆う便蓋２に光透過部８を設け、便蓋２を閉じた状態でも本体３の前方上部にある表示部５を視認できるようにする。【選択図】　図１
2004065540.tif 000002
【特許請求の範囲】
【請求項１】
前方上部に表示部を備えた本体と、前記本体に回動自在に取り付けた便座および便蓋とからなり、前記便蓋は、閉じた時に前記本体および前記便座の略全域と重合し、かつ、閉じた状態で前記表示部を視認するための光透過部を有するトイレ装置。
【請求項２】
光透過部は便蓋の一部であり、他の部分は光を透過しない請求項１に記載のトイレ装置。
【請求項３】
光透過部は前後方向に長方形状とした請求項１または２に記載のトイレ装置。
【請求項４】
表示部は複数の表示素子からなり、光透過部は前記複数の表示素子に対応した複数の光透過部である請求項１〜３のいずれか１項に記載のトイレ装置。
【請求項５】
便蓋は遮光性を有する遮光性材料からなり、光透過性を有する光透過部材とを重合して構成し、前記便蓋は表示部に対応する部位に貫通孔を設けた請求項１〜４のいずれか１項に記載のトイレ装置。
【請求項６】
光透過部材は、便蓋に設けた貫通孔よりも大きい請求項５に記載のトイレ装置。
【請求項７】
便蓋は光透過性を有する材料からなり、遮光手段により、表示部に対応する部位を残して遮光した請求項１〜４のいずれか１項に記載のトイレ装置。
【請求項８】
遮光手段は、遮光板を重合成形、遮光皮膜を接合、遮光塗料を塗布、遮光フィルムを転写のいずれかである請求項７に記載のトイレ装置。
【発明の詳細な説明】
【０００１】
【発明の属する技術分野】
本発明は、トイレ装置に関するもので、特に温水洗浄機能等の動作状況表示部を本体前方上方に有するトイレ装置に関するものである。
【０００２】
【従来の技術】
トイレにおいて局部を洗浄したり、用便時の臭気を脱臭したりするトイレ装置が普及してきている。これは、図９（ａ）に示すように、便座１および便蓋２を回動自在に備えた本体３に洗浄機能や脱臭機能（図示せず）を内蔵し、動作指示を行う操作部４や動作状況を表示する表示部５を本体上部や本体側部に設けたものである。また、実用登録１５８９１９０号公報に記載の腰掛式便器用機能便座においては、図９（ｂ）に示すように、操作部４を設けた本体３に取り付けた便蓋２が、閉蓋時には便座１と本体３を覆い、開蓋時には便座１と本体３を露出する構成が考案されている。
【０００３】
【発明が解決しようとする課題】
しかしながら、前記従来のトイレ装置では可動部６や隙間７が露出しているため、美観上、見た目が悪く、さらに、埃等の入り込みが多くて清潔面での心配がある上に、掃除もしにくいという課題を有していた。これら課題を解決するために実用登録１５８９１９０号公報に記載の腰掛式便器用機能便座においては、本体３と便座１を便蓋２で覆う構成が考案されているが、この構成では本体３の上部に設けた操作部４や表示部（図示せず）は便蓋２を閉じた状態では操作、視認ができないという課題を有していた。操作部４に関しては、本体３の側部やリモコン装置に操作部４を設けることにより課題を解決することもできるが、表示部を本体側部に設けると視認が困難である。
【０００４】
また、表示部をリモコン装置に設けた場合には、本体の動作状況をリモコン装置に送信（リモコン装置側では受信）する必要があるが、通常のトイレ装置のリモコン装置は洗浄等の動作指示をリモコン装置からトイレ装置本体へ送信（トイレ装置本体側では受信）する一方向通信であるのに対し、トイレ装置の動作状況をリモコン装置へ送信する機能が付加され、双方向通信となり、部品点数が増えたり、動作が複雑になるという課題も有していた。
【０００５】
本発明は、前記従来の課題を解決するもので便蓋を閉じた状態で可動部の隙間が露出せず、かつ表示部が視認できるトイレ装置を提供することを目的とする。
【０００６】
【課題を解決するための手段】
前記従来の課題を解決するために、本発明は、本体を覆う便蓋に光透過部を設けたものである。
【０００７】
上記発明によれば、便蓋が便座およびトイレ装置本体を覆う構成になっており、可動部や隙間が露出していないため、美観上、見た目も良く、埃等の入り込みによる清潔面での心配もなく、掃除もしやすく、それでいながら、便蓋を閉じた状態でも光透過部を通して、本体上部に設けた表示部を視認することができる。
【０００８】
【発明の実施の形態】
請求項１に記載の発明は、前方上部に表示部を備えた本体と、本体に回動自在に取り付けた便座および便蓋とからなり、便蓋は、閉じた時に本体および便座の略全域と重合し、かつ、閉じた状態で表示部を視認するための光透過部を有するものである。そして、便蓋を閉じた状態でも光透過部を通して、本体上部に設けた表示部を視認することができる。
【０００９】
請求項２に記載の発明は、特に請求項１に記載の光透過部が便蓋の一部であり、他の部分は光を透過しないものである。そして、便蓋に光を透過しない部分を設けることにより、不用意に便器の中が見えて美観を損なうことを防ぐことができる。
【００１０】
請求項３に記載の発明は、特に請求項１または２に記載の光透過部を前後方向に長方形状としたものである。そして、光透過部が前後方向に長い形状であるため、トイレ装置から離れた場所から斜めに見ても、光透過部を通して表示部を視認することができる。
【００１１】
請求項４に記載の発明は、特に請求項１〜３のいずれか１項に記載の表示部が複数の表示素子からなり、光透過部は複数の表示素子に対応した複数の光透過部としたものである。そして、光透過部が各表示素子に対応しているため、隣の表示との干渉が無く、確実に表示を視認することができる。
【００１２】
請求項５に記載の発明は、特に請求項１〜４のいずれか１項に記載の便蓋が遮光性を有する遮光性材料からなり、光透過性を有する光透過部材とを重合して構成し、便蓋は表示部に対応する部位に貫通孔を設けたものである。そして、遮光性材料一体で便蓋を構成することにより便蓋の強度を確保し、光透過性が必要な部位にのみ貫通孔を設けて光透過部材と重合することにより安価に製造することができる。
【００１３】
請求項６に記載の発明は、特に請求項５に記載の光透過部材を便蓋に設けた貫通孔よりも大きくしたものである。そして、光透過部材が貫通孔より大きいため、便蓋と光透過部材との重合時の位置合わせが容易になり、光透過部材を通して、遮光性材料でできた便蓋が見えて意匠性も増す。さらに、複数の貫通孔を有する場合でも１つの光透過部材で構成することができる。
【００１４】
請求項７に記載の発明は、特に請求項１〜４のいずれか１項に記載の便蓋が光透過性を有する材料からなり、遮光手段により、表示部に対応する部位を残して遮光したものである。そして、光透過性を有する材料で便蓋を構成することにより便蓋の強度を確保し、さらに便蓋に貫通孔を空けずに光透過部を設けることにより強度を確保することができ、また、安価に製造することができる。
【００１５】
請求項８に記載の発明は、特に請求項７項に記載の遮光手段を、遮光板を重合成形、遮光皮膜を接合、遮光塗料を塗布、遮光フィルムを転写のいずれかとしたもので、安価に製造することができる。
【００１６】
【実施例】
以下、本発明の実施例について図面を用いて説明する。
【００１７】
（実施例１）
図１（ａ）は本発明の実施例１のトイレ装置の便蓋を閉じたときの概略構成図、図１（ｂ）は、本発明の実施例１のトイレ装置の便蓋を開いたときの概略構成図、で、図２は本発明の実施例１のトイレ装置を示した上面図ある。
【００１８】
図１（ａ）、（ｂ）および図２において、１は便座、２は便蓋で、ともにトイレ装置本体３に回動自在に取り付けられている。便蓋２は閉じた時に本体３および便座１の略全域と重合し、かつ、閉じた状態で本体３の前方上部に備えた表示部５を視認するための光透過部８を有する。なお、４はトイレ装置を操作するための操作部で、９は便器である。
【００１９】
次に動作、作用について説明する。トイレ装置を使わないときは便蓋２は閉じた状態にしておき、そうすればトイレ装置の上方には隙間は無いため見た目がすっきりするとともに、可動部の隙間等に埃やゴミが入ることもなく、拭き掃除をする場合でも一様な便蓋２の表面を拭き取るだけで済み、衛生的である。
【００２０】
一方、便蓋２は光透過部８を有するため、便蓋２を閉じた状態でも、本体３の前方上部に備えた表示部５を視認することができる。表示部５に表示する内容としては、電源のオン／オフを示すパイロットランプや、故障状態を示すエラー表示、節電モード等の状態を示す動作表示があり、いずれも人がトイレに入った直後に確認が必要な項目で、便蓋２の開閉動作無しに表示部５が視認できることは人の動作疲労の軽減をはかることができるとともに、異常状態であれば、いち早く認知することができる。
【００２１】
ここで、表示部５そのものを本体３の側面や、図に示す操作部４の付近に備えた場合は同様に便蓋２の開閉動作無しに視認することはできるが、この場合はトイレ装置正面からは見づらいので、表示部５を視認するためにトイレ装置の側方に回り込む必要があり、かえって不便となり課題の解決にはならない。また、表示部５の設置場所の自由度を増す方法として、表示部５をトイレ装置のリモコン装置に設ける方法も考えられるが、この場合はトイレ装置の各種動作状態情報をリモコン装置に伝える必要があり、これは通常のリモコン装置の通信方向、つまりリモコン装置からトイレ装置への情報送信という通信方向とは逆になるため、別途、トイレ装置本体からリモコン装置へ通信するための送受信手段が必要となり、複雑化、コストアップになるので好ましくない。
【００２２】
なお、便蓋２の中央部が光透過部８となっているように図示したが、光透過部８は便蓋２の略全域であっても同様に実施でき、さらには便蓋２全体が光透過部材でできていても同様に実施できる。これら光透過部８を便蓋２の中央部に広く設けると、便蓋２を閉じた状態でも便器９の中が見え、トイレの流し忘れを確認することができる。また、光透過部８は無色透明であっても良いが、色付き透明や半透明であると意匠性が増す。
【００２３】
（実施例２）
図３は本発明の実施例２のトイレ装置の上面図である。
【００２４】
図３において、図２と異なる点は、光透過部８を表示部５に対応する場所のみとし、便蓋２に対して小さく設けた点である。
【００２５】
次に動作、作用について説明する。トイレ装置を使わないときは便蓋２は閉じた状態にしておき、そうすればトイレ装置の上方には隙間は無いため見た目がすっきりするとともに、可動部の隙間等に埃やゴミが入ることもなく、拭き掃除をする場合でも一様な便蓋２の表面を拭き取るだけで済み、衛生的である。また、便蓋２は大部分が光を透過しないので便器の中を見えないようにする場合には都合が良い。
【００２６】
一方、便蓋２を閉じた状態でも、光透過部８を通して本体３の前方上部に備えた表示部５を視認することができる。
【００２７】
（実施例３）
図４は本発明の実施例３のトイレ装置の概略構成図および断面図である。
【００２８】
図４において８は便蓋２に設けた光透過部で、本体３の前方上部に設けた表示部５に対してトイレ装置の前後方向に長方形状となっている。図４（ｂ）は図４（ａ）のＡ−Ａにおける断面図である。
【００２９】
次に動作、作用について説明する。光透過部８は表示部５に対しトイレ装置の前後方向に長いため、視点１０がトイレ装置の真上であっても斜め前方であっても表示部５を視認することができる。一般にトイレは出入り口がトイレ装置に対して正面前方にあるため、人がトイレに入ってきた直後は表示部５を斜め前方から視認することになる。よっていち早く表示部５の情報を認知することができる。
【００３０】
（実施例４）
図５および図６は本発明の実施例４のトイレ装置の上面図である。
【００３１】
図５および図６において、図３と異なる点は、表示部５を複数個設けた点である。また、図６においては光透過部８も複数個設けている。
【００３２】
次に動作、作用について説明する。表示部５として表示素子１１を複数個設けると、複数の情報を報知することができる。この時、光透過部８は複数の表示素子１１を全て視認できる大きさにすれば、部品点数の増加を最小限にすることができる。
【００３３】
一方、図６に示すように光透過部８を、複数設けた表示素子１１のそれぞれに対向する場所に複数個設けると、隣の表示素子との干渉が無く確実に表示することができる。特に表示素子がＬＥＤ等の発光素子からなる場合は光の漏れによる視認性の低下が課題となるが、この課題を解消することができる。さらに確実に光の漏れを防ぐには表示素子間に遮光板を設けると良い。また、発光素子による表示は色違いにすることが一般に行われており（例えば異常報知の表示は赤）、従来は複数色の発光素子を用いていたが、それぞれの光透過部８の色を変えることにより、発光素子は共通色（例えば白色）を用いることができ、部品種数を減らすことができる。なお、表示素子１１が発光素子である場合に光透過部８の色を変えると説明したが、発光素子でない表示部であっても同様の効果を得ることができるのは言うまでもない。
【００３４】
（実施例５）
図７および図８は本発明の実施例５のトイレ装置の断面図である。
【００３５】
図７において、３はトイレ装置本体で、前方上部に表示部５を備えている。便蓋２は遮光性を有する遮光性材料からなり、閉じたときに本体３と重合し、表示部５に対向する場所に孔１２が空いている。孔１２には光透過部材１３が重合しており、光透過部８が形成されている。
【００３６】
次に動作、作用について説明する。便蓋２において、本体３に設けた表示部５に対向する場所に孔１２が空いているため、遮光性材料からなる便蓋２が閉じた状態でも表示部５が視認できるが、孔１２が空いたままでは水等が下方に入り込むため、光透過部材１３を重合しておくと水等の入り込みを防止することができる。特に表示部５は電気部品からなる場合が多いので水の侵入を防止することにより、故障の可能性を低減することができる。また、便蓋２に孔のない構成となるので強度も低下しない。ここで、便蓋２と光透過部材１３との重合方法としては、便蓋２と光透過部材１３とのはめ込み、接着、超音波や振動等を用いた熱溶着と言った２ピースを合体させる方法でも良いし、便蓋２もしくは光透過部材１３の一方を予め成型し、もう一方を成型するときに予め成型した部材を金型内にセットした後に成型を行い重合するインサート成型と言う方法でも良い。いずれの方法でも安価に製造することができる。
【００３７】
一方、図７（ｂ）に示すように、光透過部材１３を便蓋２に設けた孔１２よりも大きくすると、孔１２と光透過部材１３との形状が同一でないため、重合時の位置ずれを厳しく管理する必要がなく安価に製造することができる。なお、光透過部材１３はシンプルな形状（例えば矩形、円形）であっても、孔１２を複雑な形状（例えば星形）にすることもできるので安価に意匠の自由度が増す。また、意匠性という面では、光透過部材１３を大きくすると、便蓋２の表面に占める透明部材の面積が増え、クリアーな印象の便蓋をつくることができる。光透過部材１３に用いる透明部材は無色透明であっても良いし、半透明、色付き透明であっても良い。特に色付き透明の場合は、便蓋２の色によっては色の重なりによって多様な色を実現することができる。例えば赤系色の便蓋に緑系色の透明部材を重ねると、便蓋のベース色は赤、孔を通して臨む表示部は緑、便蓋と透明部材の重合部分は濃い色と言った３色構成となる。もちろん色の組み合わせはこれに留まらず、無限の組み合わせが可能である。
【００３８】
図８において、２は便蓋で光透過性を有する材料からなり、光透過が必要な部分を残して遮光手段１４（例えば着色）を施したものである。こうすると、別部材との組み合わせではなく、便蓋を構成する透明部材と着色との組み合わせであるため、強度が増すとともに、安価に製造することができる。特に便蓋の裏面（便蓋を閉じたときに下面になる方）に着色を施すと透明光沢の下地に別色が付いた状態となり、非常に意匠性、高級感が増す。色の組み合わせとしては、無色透明に着色しても良いし、色付き透明と着色との色の重なりを利用しても良い。また、着色は完全な遮光性着色であると便器の中は全く見えなくなり、一部光透過性を持つ遮光手段として半透明や乳化色となるようにすると、ほのかに便器内の水槽部が見え、涼感を与える。金属光沢のある着色を施すと鏡のようになる。一方、遮光手段１４としては、遮光板の重合成型、遮光皮膜を接合、遮光塗料を塗布、遮光フィルムを転写と言った方法を用いると安価に製造できて良い。なお、この光透過部材の裏面に着色等の遮光手段を施す方法を図７（ｂ）の光透過部材１３に用いても同様の美しさを実現できることは言うまでもない。
【００３９】
【発明の効果】
以上のように、請求項１〜８に記載のトイレ装置によると、便蓋が便座およびトイレ装置本体を覆って可動部や隙間が露出しないため、見た目も良く、埃等の入り込みがなく、掃除もしやすく衛生的である。それでいながら、便蓋を閉じた状態でも光透過部を通して、本体上部に設けた表示部を視認することができる。
【図面の簡単な説明】
【図１】（ａ）本発明の実施例１のトイレ装置の便蓋を閉じたときの概略構成図
（ｂ）本発明の実施例１のトイレ装置の便蓋を開いたときの概略構成図
【図２】本発明の実施例１のトイレ装置の上面図
【図３】本発明の実施例２のトイレ装置の上面図
【図４】本発明の実施例３のトイレ装置の概略構成図および断面図
【図５】本発明の実施例４のトイレ装置の上面図
【図６】本発明の実施例４のトイレ装置の上面図
【図７】本発明の実施例５のトイレ装置の断面図
【図８】本発明の実施例５のトイレ装置の断面図
【図９】従来のトイレ装置の概略構成図
【符号の説明】
１　便座
２　便蓋
３　本体
５　表示部
８　光透過部
１１　表示素子
１４　遮光手段
【図１】
2004065540.tif 000003
【図２】
2004065540.tif 000004
【図３】
2004065540.tif 000005
【図４】
2004065540.tif 000006
【図５】
2004065540.tif 000007
【図６】
2004065540.tif 000008
【図７】
2004065540.tif 000009
【図８】
2004065540.tif 000010
【図９】
2004065540.tif 000011